(57)【要約】【課題】クランプ位置等の制約を受けることなく、安価な構造によってコードをクランプすることができる車両用灯具のコードクランプ構造を提供すること。【解決手段】ハウジング１とその開口部を覆うアウタレンズによって画成された灯室内に、少なくとも光源と、エクステンション２を収容して成る車両用灯具の前記光源に給電するためのコード３のクランプ構造として、車両用灯具の２部品（ハウジング１とエクステンション２）にコードクランプ部１Ａ，２Ａをそれぞれ形成し、両コードクランプ部１Ａ，２Ａによってコード３を挟み込んでクランプする構成を採用する。【選択図】図２
2017016931.tif 000002
【特許請求の範囲】
【請求項１】
ハウジングとその開口部を覆うアウタレンズによって画成された灯室内に、少なくとも光源と、エクステンションを収容して成る車両用灯具の前記光源に給電するためのコードのクランプ構造であって、
車両用灯具の２部品にコードクランプ部をそれぞれ形成し、両コードクランプ部によってコードを挟み込んでクランプするようにしたことを特徴とする車両用灯具のコードクランプ構造。
【請求項２】
前記ハウジングと前記エクステンションに二股リブ状のコードクランプ部をそれぞれ形成し、両コードクランプ部をコードの配索方向に沿って交互に配置し、各コードクランプ部にコードを通してこれを両コードクランプ部によってクランプするようにしたことを特徴とする請求項１記載の車両用灯具のコードクランプ構造。
【発明の詳細な説明】
【技術分野】
【０００１】
本発明は、光源に給電するためのコードをクランプして保持するための車両用灯具のコードクランプ構造に関するものである。
【背景技術】
【０００２】
ヘッドランプ等の車両用灯具は、ハウジングとその開口部を覆うアウタレンズによって画成された灯室内に、少なくとも光源と、エクステンション等を収容して構成されるが、バッテリ等の電源から光源に給電するためのコードが配索される。斯かるコードが複数本用いられる車両用においては、そのコードの配索作業が容易でないため、例えば図３に示すように、ハウジング１０１にクランパ１０１Ａを一体に突設し、このクランパ１０１Ａにコード１０３を嵌め込んでこれを確実にクランプすることが行われている（特許文献１参照）。
【０００３】
ここで、図３に示すクランパ１０１Ａは、先端に係止爪１０１ａが一体に形成された一対のリブ状突起１０１ｂによって構成されており、両リブ状突起１０１ｂの先端の係止爪１０１ａの間隔はコード１０３の外径よりも小さく設定され、両リブ状突起１０１ｂの係止爪１０１ａを除く部分の間隔はコード１０３の外径よりも大きく設定されている。
【０００４】
而して、コード１０３をクランパ１０１Ａによってクランプするには、該クランパ１０１Ａの一対のリブ状突起１０１ｂの先端に形成された係止爪１０１ａの間にコード１０３を嵌め込んでこれを押し込む。すると、一対のリブ状突起１０１ｂが弾性変形して両係止爪１０１ａの間隔がコード１０３によって押し広げられるため、コード１０３が両係止爪１０１ａを通過して一対のリブ状突起１０１ｂの間に嵌め込まれてクランプされる。すると、両リブ状突起１０１ｂが弾性復元力によって元の状態に復帰して各先端の係止爪１０１ａの間隔がコード１０３の外径以下に狭くなるため、コード１０３のクランパ１０１Ａからの脱落が両係止爪１０１ａによって阻止される。
【先行技術文献】
【特許文献】
【０００５】
【特許文献１】特開平１１−２４２９０１号公報
【発明の概要】
【発明が解決しようとする課題】
【０００６】
図３に示すクランパ１０１Ａは、樹脂製品であるハウジング１０１の成形時に一体に形成されるが、金型の抜き方向（図示矢印方向）に対して係止爪１０１ａの部分がアンダーカット形状となるため、別にスライド型を用いて成形を行う必要があり、このために金型費が高くなる他、スライド構造が成立する位置にしかクランパ１０１Ａを形成することができないという問題がある。
【０００７】
又、コード１０３の太さや本数によって、コード１０３を組み付ける隙間の距離を変える必要があるという問題もある。
【０００８】
本発明は上記問題に鑑みてなされたもので、その目的とする処は、クランプ位置等の制約を受けることなく、安価な構造によってコードをクランプすることができる車両用灯具のコードクランプ構造を提供することにある。
【課題を解決するための手段】
【０００９】
上記目的を達成するため、請求項１記載の発明は、ハウジングとその開口部を覆うアウタレンズによって画成された灯室内に、少なくとも光源と、エクステンションを収容して成る車両用灯具の前記光源に給電するためのコードのクランプ構造であって、車両用灯具の２部品にコードクランプ部をそれぞれ形成し、両コードクランプ部によってコードを挟み込んでクランプするようにしたことを特徴とする。
【００１０】
請求項２記載の発明は、請求項１記載の発明において、前記ハウジングと前記エクステンションに二股リブ状のコードクランプ部をそれぞれ形成し、両コードクランプ部をコードの配索方向に沿って交互に配置し、各コードクランプ部にコードを通してこれを両コードクランプ部によってクランプするようにしたことを特徴とする。
【発明の効果】
【００１１】
本発明によれば、車両用灯具の２部品（例えば、ハウジングとエクステンション）にそれぞれ形成されたコードクランプ部にコードを通してこれを両コードクランプ部によって挟み込んでクランプするようにしたため、各コードクランプ部にアンダーカット形状を設ける必要がない。このため、コードクランプ部の成形にスライド型を要することがなく、金型費を低く抑えてコードのクランプ構造を安価に構成することができる。又、コードクランプ部の成形にスライド型を用いる必要がないため、コードクランプ部が設置位置の制約を受けることがなく、コードクランプ部を任意の位置に自由に設置することができる。
【００１２】
更に、コードを組み付ける際に従来必要であった隙間が２部品のコードクランプ部に囲まれることによって無くなるため、コードの太さや本数の影響を受けることなく、任意の位置にコードクランプ部を自由に設置することができる。
【図面の簡単な説明】
【００１３】
【図１】本発明に係る車両用灯具のコードクランプ構造を示す部分斜視図である。
【図２】図１の矢視Ａ方向の図である。
【図３】車両用灯具の従来のコードクランプ構造を示す部分斜視図である。
【発明を実施するための形態】
【００１４】
以下に本発明の実施の形態を添付図面に基づいて説明する。
【００１５】
図１は本発明に係る車両用灯具のコードクランプ構造を示す部分斜視図、図２は図１の矢視Ａ方向の図であって、本発明に係るコードクランプ構造は、ヘッドランプ等の車両用灯具において給電用のコードをクランプするためのものである。
【００１６】
ヘッドランプ等の車両用灯具は、樹脂部品であるハウジング１とその開口部を覆う不図示のアウタレンズによって画成された灯室内に、バルブ等の不図示の光源と、該光源から出射する光を所定の方向に反射させる不図示のリフレクタと、該リフレクタの周囲の隙間を覆う樹脂部品であるエクステンション２等を収容して構成されているが、このような車両用灯具には、光源に給電するための複数（図示例では、４本）のコード３が用いられている。
【００１７】
ところで、本実施の形態では、ハウジング１に二股リブ状の２組のコードクランプ部１Ａがコードの配索方向（図２の左右方向）に適当な間隔で一体に形成するとともに、これらのコードクランプ部１Ａに対向するエクステンション２の１箇所に１組の二股リブ状のコードクランプ部２Ａをハウジング１に向かって一体に形成している。ここで、エクステンション２に形成された１組のコードクランプ部２Ａは、ハウジング１に形成された２組のコードクランプ部１Ａの間に配置されており、ハウジング１に形成されたコードクランプ部１Ａとエクステンション２に形成されたコードクランプ部２Ａとはコード３の配索方向に沿って交互に配置されている。
【００１８】
而して、コード３をハウジング１に形成された２組のコードクランプ部１Ａとエクステンション２に形成された１組のコードクランプ部２Ａに通せば、複数のコードクランプ部１Ａ，２Ａによってコード３が挟み込まれてクランプされる。この場合、ハウジング１に形成されたコードクランプ部１Ａとエクステンション２に形成されたコードクランプ部２Ａにはアンダーカット形状を設ける必要がないため、これらのコードクランプ部１Ａ，２Ａの成形にスライド型を要することがなく、金型費を低く抑えてコード３のクランプ構造を安価に構成することができる。又、コードクランプ部１Ａ，２Ａの成形にスライド型を用いる必要がないため、コードクランプ部１Ａ，２Ａが設置位置の制約を受けることがなく、任意の位置にコードクランプ部１Ａ，２Ａを自由に設置することができる。
【００１９】
更に、コード３を組み付ける際に従来必要であった隙間がハウジング１に形成されたコードクランプ部１Ａとエクステンション２に形成されたコードクランプ部２Ａに囲まれることによって無くなるため、コード３の太さや本数の影響を受けることなく、任意の位置にコードクランプ部１Ａ，２Ａを自由に設置することができる。
【００２０】
尚、以上の実施の形態では、コードクランプ部を形成する２部品としてハウジングとエクステンションを選択したが、コードクランプ部は、他の任意の２部品にそれぞれ形成することができる。
【符号の説明】
【００２１】
１        ハウジング（部品）
１Ａ      ハウジングのコードクランプ部
２        エクステンション（部品）
２Ａ      エクステンションのコードクランプ部
３        コード
【図１】
2017016931.tif 000003
【図２】
2017016931.tif 000004
【図３】
2017016931.tif 000005